(57)【要約】【課題】フェムトセルへの侵入及び脱出を検知してセルサーチ処理を行い、フェムトセル基地局の検出を行うことで、通信の安定性向上に寄与し得る移動通信端末を提供する。【解決手段】  無線信号の送受信を行うアンテナと、前記アンテナを介して基地局と無線通信回線を確立して通信を行う通信手段と、前記アンテナが受信する無線信号の受信電力強度を第１の受信電力強度として測定し、前記通信手段が無線通信回線を確立した基地局より送信される無線信号の受信電力強度を第２の受信電力強度として測定し、雑音信号の受信電力強度を第３の受信電力強度として測定する測定手段と、前記第１の受信電力強度が所定の値を上回り、且つ前記第２の受信電力強度と前記第３の受信電力強度との比が所定の値を下回る場合に、前記通信手段を介して基地局を検出するセルサーチ処理手段とを備える。【選択図】図４
2011071807.tif 000002
【特許請求の範囲】
【請求項１】
無線信号の送受信を行うアンテナと、
前記アンテナを介し、基地局と無線通信回線を確立して通信を行う通信手段と、
前記通信手段が確立した無線通信回線の同期情報を記憶する記憶部と、
前記アンテナが受信する無線信号の受信電力強度及び信号品質を測定する測定手段と、  前記受信電力強度が所定の値を上回り、且つ前記信号品質が所定の信号品質閾値を下回る場合に、前記記憶部に記憶された同期情報に基づいて基地局を検出するセルサーチ処理手段と
を有することを特徴とする移動通信端末。 
【請求項２】
前記記憶部に記憶された同期情報は、第１の同期情報リストに分類された同期情報と、第１の同期情報リストと異なる第２の同期情報リストに分類された同期情報からなり、
前記セルサーチ処理手段は、
前記受信電力強度が所定の値を上回り、且つ前記信号品質が所定の信号品質閾値を下回る場合に、前記記憶部に記憶された第１の同期情報リストに分類された同期情報に基づいて基地局を検出し、
前記受信電力強度が所定の値を下回り、且つ前記信号品質が所定の信号品質閾値を下回る場合に、前記記憶部に記憶された第２の同期情報リストに分類された同期情報に基づいて基地局を検出する
ことを特徴とする請求項１に記載の移動通信端末。
【請求項３】
前記セルサーチ処理手段は、前記受信電力強度が所定の値を下回り、且つ前記信号品質が前記信号品質閾値を下回る場合に、
前記通信手段が確立している無線通信回線の同期時刻情報に基づいて基地局を検出することを特徴とする請求項１に記載の移動通信端末。
【請求項４】
前記通信手段は、無線通信回線を確立した基地局の送信電力の値を取得するものであって、
前記セルサーチ制御手段は、前記通信手段が取得した送信電力の値が所定の値を上回る場合には、前記信号品質閾値として第１の信号品質閾値を設定し、
前記通信手段が取得した送信電力の値が所定の値を下回る場合には、前記信号品質閾値として、前記第１の信号品質閾値より小さい第２の信号品質閾値を設定する
ことを特徴とする請求項１乃至３のいずれか１項に記載の移動通信端末。
【請求項５】
無線通信回線を確立して通信を行う通信手段と、
前記アンテナが受信する無線信号の受信電力強度及び信号品質をの値を取得する測定手段と、
前記受信電力強度が所定の値を上回り、且つ前記信号品質が所定の信号品質閾値を下回る場合に、  前記通信手段が確立した無線通信回線の同期情報に基づいて基地局を検出するセルサーチ処理手段と
を有することを特徴とする移動通信端末のセルサーチ制御プログラム。
【発明の詳細な説明】
【技術分野】
【０００１】
本発明は、セルサーチ処理を行う移動通信端末、及び移動通信端末のセルサーチ制御プログラムに関する。
【背景技術】
【０００２】
近年、無線通信回線の普及に伴って無線通信機能を備えた持ち運び可能な移動通信端末の普及が進んでいる。無線通信機能を備えた移動通信端末の一例である携帯電話機は、無線通信回線を通じた音声通信機能やデータ通信機能を備えており、音声通話、メールの送受信、あるいはウェブサイトの閲覧などの、様々な用途に活用されている。近年の携帯電話機の小型化・軽量化に伴って、携帯電話機が物理的に長い距離を移動しながら継続して通信を行う機会が増加している。
【０００３】
携帯電話機は、一般的にセルラ通信方式と呼ばれる無線通信方式を用いている。セルラ通信方式における各基地局はその基地局を中心とした特定の範囲内（以下、単にセルと表記する）にある携帯電話機に対して無線通信回線を確立し、各携帯電話機との通信を行う。基地局が多数配置されることでセルが敷き詰められ、長い距離を移動する携帯電話機はセル間を跨って移動することとなる。
【０００４】
セルラ通信方式の中でもＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）と呼ばれる通信方式において、携帯電話機があるセルから別のセルへと移動する際には、携帯電話機は所謂セルサーチ処理と呼ばれる処理を行う。携帯電話機はセルサーチ処理を行うことで、移動先のセルを提供する基地局との無線信号の同期を確立し、基地局の検出を行うことができる。こうしたセルサーチ処理は、一般に携帯電話機がセル間を移動したと判断した場合に行われる。携帯電話機のセル間の移動の判断は例えば、自端末のアンテナが受信する無線信号の受信信号電力等の値を携帯電話機が定期的に評価し、この受信信号電力が一定の値を下回る場合をセル間の移動として判断することで行う。
【０００５】
携帯電話機はセルサーチ処理の結果に応じてセルの再選択や、ハンドオーバ処理を行うことで、セル間を跨ぐ移動を行う場合であっても無線通信回線の接続を維持することができる（例えば、特許文献１及び特許文献２を参照）。
【先行技術文献】
【特許文献】
【０００６】
【特許文献１】特開２００９−４９６６１
【特許文献２】特開２００１−１８６５６１
【発明の概要】
【発明が解決しようとする課題】
【０００７】
ところで、先に述べたセルラシステムにおいては、例えば携帯電話機を使用する人数が多くトラヒックの集中する場所や、辺りに遮蔽物が多く電波干渉の多い場所などの、セル内であるにも関わらず十分な信号品質の無線通信回線を提供が行えない場所が存在する。
【０００８】
このような通信環境の悪い場所に対して無線通信回線を提供するために、小規模の基地局（以下、単にフェムトセル基地局と記載する）を通信環境の悪い場所へ配置し、局地的に無線通信回線を提供する技術が実用化されている。フェムトセル基地局が無線通信回線を提供する範囲は数十メートル程度の狭い範囲であるため、この無線通信回線の提供範囲は一般的にフェムトセルと呼ばれる。
【０００９】
先述したフェムトセルは、局地的に通信環境の悪い場所を補完するように配置されるため、フェムトセルは大規模の基地局（以下、単にマクロセル基地局と記載する）が無線通信回線を提供する範囲（以下、単にマクロセルと記載する）内に包含された状態で配置される場合が多い。この様な場合、フェムトセル内に在圏する携帯電話機は、同時にマクロセル内でも在圏することとなる。
【００１０】
一般的に、基地局が提供できる無線通信回線の数は有限である。そのため、無線通信回線の安定性の面から見ると、１つの基地局が確立する無線通信回線の数は、低い方が望ましい。しかし、マクロセル基地局が確立する無線通信回線の数は、そのセルエリアの広さから膨大な数となる。従って、マクロセル基地局の無線通信回線の提供を安定させるためには、マクロセルとフェムトセルに同時に在圏する携帯電話機は、フェムトセル基地局との無線通信回線を優先的に確立する必要がある。
【００１１】
携帯電話機をフェムトセルで優先的に使用させたいという要求がある一方で、先述したように従来の携帯電話機においては、セルサーチ処理を行うか否かの判定は無線信号の信号品質の評価によって行われる。そのため、マクロセル基地局から送信される無線信号の信号品質が良い場合には、セルサーチ処理が行われないために、フェムトセルの検出自体が行われない。このような場合には、携帯電話機がマクロセルとフェムトセルに同時に在圏する場合であっても、フェムトセル基地局との無線通信回線を確立できないという問題があった。また、こうしたフェムトセルの検出を行う場合には、特許文献１に開示されているように、携帯電話機が一定時間間隔でセルサーチ処理を行う必要がある。しかし、一定時間間隔でセルサーチ処理を行う場合には、携帯電話機がフェムトセル圏外にいる場合であっても一定時間間隔でセルサーチ処理が繰り返されてしまう。そのため、携帯電話機のセルサーチ処理に伴う処理負荷及び消費電流が増大し、携帯電話機の連続使用時間が低下してしまう虞があった。
【課題を解決するための手段】
【００１２】
前記目的を達成するために、本発明の移動通信端末は、無線信号の送受信を行うアンテナと、前記アンテナを介して基地局と無線通信回線を確立して通信を行う通信手段と、前記アンテナが受信する無線信号の受信電力強度及び信号品質を測定する測定手段と、  前記受信電力強度が所定の値を上回り、且つ前記信号品質が所定の信号品質閾値を下回る場合に、前記通信手段を介して基地局を検出するセルサーチ処理手段とを有することを特徴とする。
【００１３】
また、本発明の移動通信端末のセルサーチ制御プログラムは、無線通信回線を確立して通信を行う通信手段と、
前記通信手段が確立した無線通信回線の無線信号の受信電力強度及び信号品質を測定する測定手段と、
前記受信電力強度が所定の値を上回り、且つ前記信号品質が信号品質閾値を下回る場合に、前記通信手段を介して基地局を検出するセルサーチ処理手段と
を有することを特徴とする。
【発明の効果】
【００１４】
本発明によれば、フェムトセルあるいはマクロセルへの侵入及び脱出を検知してセルサーチ処理を行い基地局の検出を行うことで、通信の安定性向上に寄与し得る移動通信端末、及び移動通信端末のセルサーチ制御プログラムを提供することができる。
【図面の簡単な説明】
【００１５】
【図１】本発明の実施形態に関わる移動通信端末の、内部構成を示すブロック図。
【図２】本実施形態で例として挙げるネットワークにおいて、携帯電話機がマクロセルからフェムトセルへ移動する様子を示した図。
【図３】本実施形態に例として挙げるネットワークにおいて、携帯電話機がマクロセル間を移動する様子を示した図。
【図４】本実施形態におけるセルサーチ判定を行う処理のフローチャート。
【図５】本実施形態における閾値設定を行う処理のフローチャート。
【発明を実施するための形態】
【００１６】
以下、本発明の実施の形態について図面を参照して説明する。
【００１７】
（携帯電話機の構成）
図１は、本実施形態における移動通信端末の一例である、携帯電話機の内部の構造を示すブロック図である。以下、特に断りが無い場合には、この図１に従って本発明の各構成部の動作を説明する。
【００１８】
携帯電話機に搭載される制御部３１は、ＣＰＵ（Ｃｅｎｔｒａｌ  Ｐｒｏｃｅｓｓｉｎｇ  Ｕｎｉｔ）などの電子回路から構成される。ＣＰＵは、後述するＲＯＭあるいはＲＡＭに記憶されているプログラムに従って処理を実行する。更にＣＰＵは、上述した各回路部から供給される信号を処理し、また種々の制御信号を生成し、各回路部へ供給する。これらの処理により、ＣＰＵは携帯電話機を統括的に制御する。記憶部３２は、例えば電気的に書き換えや消去が可能な不揮発性メモリであるフラッシュメモリ素子、ＨＤＤ（Ｈａｒｄ  Ｄｉｓｃ  Ｄｒｉｖｅ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などから構成される。記憶部３２には、制御部３１のＣＰＵにより実行される種々のアプリケーションプログラムやデータ群に加えて、後述するセルサーチ判定に用いる基地局リストが格納されている。記憶部３２に格納される基地局リストには、携帯電話機がこれまでに無線通信回線を確立した基地局の、セルサーチ処理に関する情報が記憶されている。より具体的には、基地局リストはマクロセル基地局リスト、フェムトセル基地局リストの２つに分類されており、それぞれの基地局リストには基地局を一意に特定するセルＩＤ情報、後述するセルサーチ処理に用いる同期タイミング情報、符号パターン情報、及び基地局の種類、即ち基地局がマクロセル基地局であるかフェムトセル基地局であるかを示す情報などが、基地局毎に記録されている。ただし、基地局リストに記録される情報はここに列挙されたものに限られない。後述する携帯電話機が用いる通信方式がＣＤＭＡ通信方式における拡散符号を用いて通信を行うものである場合には、この基地局リストには拡散符号情報が記録されるものであっても構わない。また、基地局毎の送信電力情報が記録されていても構わない。
【００１９】
また、携帯電話機はアンテナ２１を備え、このアンテナ２１を介して無線信号の送受信を行う。以下、より具体的に無線信号の送受信処理について述べる。基地局から送信された無線信号は、アンテナ２１で受信された後、アンテナ共用器（ＤＵＰ）２２を介して受信回路（ＲＸ）２３に入力される。受信回路２３は、受信した無線信号と周波数シンセサイザ（ＳＹＮ）２４から出力された局部発信信号とをミキシングして、中間周波数信号に周波数変換（ダウンコンバート）する。そして、受信回路２３はこのダウンコンバートした中間周波数信号を復調し、受信ベースバンド信号として出力する。
【００２０】
なお、受信回路（ＲＸ）２３は、受信した無線信号の受信電力及び信号品質の測定を行う。受信電力の測定は、例えばＲＳＳＩ（Ｒｅｃｅｉｖｅｄ Ｓｉｇｎａｌ Ｓｔｒｅｎｇｔｈ Ｉｎｄｉｃａｔｏｒ）やＲＳＲＰ（Ｒｅｆｅｒｅｎｃｅ  Ｓｉｇｎａｌ  Ｒｅｃｅ
ｉｖｅｄ  Ｐｏｗｅｒ）といった値を測定することで行う。また、信号品質の測定は、例えば雑音成分や干渉成分を信号品質として評価する基準値を測定することにより行う。より具体的には、信号品質は例えばＳＩＮＲ（Ｓｉｇｎａｌ  ｔｏ  Ｉｎｔｅｒｆｅｒｅｎｃｅ  ａｎｄ  Ｎｏｉｓｅ  Ｐｏｗｅｒ  Ｒａｔｉｏ）やＥｓ／Ｉｏ（Ｅｎｅｒｇｙ  Ｐｅｒ  Ｓｙｍｂｏｌ  ｔｏ  Ｉｎｔｅｒｆｅｒｅｎｃｅ  Ｄｅｎｓｉｔｙ  Ｒａｔｉｏ）、及びＳＩＲ（Ｓｉｇｎａｌ  ｔｏ  Ｉｎｔｅｒｆｅｒｅｎｃｅ  Ｒａｔｉｏ）を測定することで行う。なお、受信電力あるいは信号品質の測定のために用いる値はこれに限られるものではなく、種々の値を測定のために用いることができる。
【００２１】
受信回路２３から出力された受信ベースバンド信号は、ＯＦＤＭＡ信号処理部２６に入力される。ＯＦＤＭＡ信号処理部２６は、入力された受信ベースバンド信号から所定の伝送フォーマットの受信データを生成する。ＯＦＤＭＡ信号処理部２６から出力された受信データは、ＯＦＤＭＡ信号処理部２６から圧縮／伸張処理部２７へ入力される。受信データが音声データであった場合には、圧縮／伸張処理部２７で処理された音声データはＰＣＭコーデック２８によりＰＣＭ復号化処理が行われ、音声信号へ変換される。変換された音声信号は、受話増幅器２９により適正レベルまで増幅された後、スピーカ８より音声として出力される。
【００２２】
次に、アンテナ２１による無線信号の送信について述べる。例として、通話中の携帯電話機のマイクロフォン７へ音声が入力された場合について考える。まず、マイクロフォン７へ入力された音声信号は、送話増幅器３０により適正レベルまで増幅された後、ＰＣＭコーデック２８によりＰＣＭ符号化される。このＰＣＭ符号化されたディジタルオーディオ信号は、圧縮／伸張処理部２７に入力される。また、制御部３１で生成されたメールなどのデータ信号も、圧縮／伸張処理部２７に入力される。
【００２３】
ＯＦＤＭＡ信号処理部２６は、圧縮／伸張処理部２７から出力された送信データに、を所定の伝送フォーマットの送信ベースバンド信号へと変換し、送信回路（ＴＸ）２５へと出力する。送信回路２５は入力された送信ベースバンド信号を、ディジタル変調方式を使用し変調する。更に、送信回路２５は、送信ベースバンド信号と周波数シンセサイザ２４から発生される局部発信信号とを合成し、無線信号に周波数変換（アップコンバート）する。そして、送信回路２５は、制御部３１により指示される送信電力レベルを満たすようにアップコンバートされた無線信号を増幅する。この増幅された無線信号は、アンテナ共用器２２を介してアンテナ２１に供給され、このアンテナ２１から基地局へと送信される。
【００２４】
なお、本実施例においては携帯電話機が、先述したＯＦＤＭＡ方式、特にＬＴＥ（Ｌｏｎｇ  Ｔｅｒｍ  Ｅｖｏｌｕｔｉｏｎ）に規定された通信方式に基づいて送受信される無線信号を用いて通信を行う場合を述べる。ただし、携帯電話機が使用するＯＦＤＭＡ無線信号の送受信処理は、ここに述べた処理に限定されるものではなく、様々な処理を用いて行うことができる。また、本発明の動作はこれに限られるものではなく、例えば携帯電話機がＣＤＭＡ方式などの、他の変調方式に基づいて変調された無線信号を用いて通信を行うものであっても構わない。
【００２５】
（セルサーチ処理）
次に、セルサーチ処理について述べる。携帯電話機が無線通信回線を確立しているセルから異なるセルへと移動する場合には、移動先セルの基地局との無線通信回線を確立する必要がある。そして、基地局との無線通信回線を確立するためには、基地局と送受信する無線信号の同期を行う必要がある。この、移動先セルの基地局との無線信号の同期を行う処理が所謂セルサーチ処理である。以下に、携帯電話機が行うセルサーチ処理について述べる。
【００２６】
先述したセルサーチ処理は、まず基地局が携帯電話機へ無線信号を送信する下りリンクにおいて、携帯電話機が無線信号の受信タイミングと、ＯＦＤＭＡ信号処理部２６が復号を行う拡散符号の２つを決定することにより行われる。基地局はセルへ侵入した携帯電話機にセルサーチ処理を行わせるための同期信号をセル内の全ての携帯端末へ報知している。携帯電話機はアンテナ２１を介して同期信号を受信すると、続いて同期信号中にコード多重されたＳＣＨ（Ｓｙｎｃｈｒｏｎｉｚａｔｉｏｎ）信号を抽出する。ＳＣＨはＰ−ＳＣＨ（Ｐｒｉｍａｒｙ  ＳＣＨ）とＳ−ＳＣＨ（Ｓｅｃｏｎｄａｒｙ  ＳＣＨ）の２つのサブチャネルを含む信号である。
【００２７】
Ｐ−ＳＣＨは、基地局より送信された無線信号のスロットタイミング（以下、単に同期タイミングと記載する）を、携帯電話機が検出するために使用される信号である。基地局から送信される無線信号は、フレームと呼ばれる所定の時間単位毎に区切られて送信されており、Ｐ−ＳＣＨは、このフレーム中の所定の時間領域に割当てられている。制御部３１はＰ−ＳＣＨが割当てられている時間領域を特定することで、制御部３１がフレームを受信するタイミングを特定する。後述する方法により、記憶部３２に予めＰ−ＳＣＨが割当てられている時間領域情報が格納されている場合は、ＯＦＤＭＡ信号処理部２６はこの時間領域情報に基づいてフレームの受信タイミングを検出し、このフレームの受信タイミングを用いて後述するＳ−ＳＣＨの抽出を行う。一方、記憶部３２に時間領域情報が格納されていない場合は、ＯＦＤＭＡ信号処理部２６がＭＦ（Ｍａｔｃｈｅｄ  Ｆｉｌｔｅｒ）を用いた相関値解析によってＰ−ＳＣＨが割り当てられている時間領域を検出し、フレームの受信タイミングを抽出する。なお、記憶部３２に予め格納されたフレームの受信タイミングの検出処理は、ＭＦを用いた同期タイミングの抽出処理に比べ制御部３１の計算負荷及び処理に要する時間が少ない。ＯＦＤＭＡ信号処理部２６が以上の処理によってフレームの受信タイミングを検出すると、ＯＦＤＭＡ信号処理部はＳ−ＳＣＨを用いて基地局のセル識別番号（以下、単にセルＩＤと記載する）の検出を行う。
【００２８】
Ｓ−ＳＣＨは、同期信号を送信する基地局のセル識別番号（以下、単にセルＩＤと記載する）を、携帯電話機が検出するために使用される信号である。Ｓ−ＳＣＨは同期信号中に、基地局毎に異なる信号パターンを用いて符号化されている。そのため、携帯電話機はＳ−ＳＣＨに割当てられた信号パターンを特定し、Ｓ−ＳＣＨを抽出する必要がある。後述する方法により記憶部３２に予めＳ−ＳＣＨに割当てられている信号パターン情報及びセルＩＤ情報が格納されている場合には、ＯＦＤＭＡ信号処理部２６は記憶部３２からセルＩＤ情報を読み出すことでセルＩＤの検出を行う。一方、記憶部３２に信号パターン及びセルＩＤ情報が格納されていない場合には、ＯＦＤＭＡ信号処理部２６はＰ−ＳＣＨを用いて検出したフレームの受信タイミングを用いて、Ｓ−ＳＣＨが割当てられた時間領域を特定する。続いて、ＯＦＤＭＡ信号処理部２６はこの時間領域に対して信号パターンの相関演算を行うことにより、Ｓ−ＳＣＨに割当てられた信号パターンを特定する。ＯＦＤＭＡ信号処理部２６はＳ−ＳＣＨを抽出すると、Ｓ−ＳＣＨからセルＩＤの検出を行い、これを制御部３１へ通知する。なお、記憶部３２に予め格納された信号パターンの情報及びセルＩＤ情報の検出処理は、周波数領域の相関演算を用いた検出に比べ、制御部３１の計算負荷及び処理に要する時間が少ない。
【００２９】
以上の処理によって、携帯電話機が新たなセルへ侵入した場合のフレームの受信タイミング、信号パターン及びセルＩＤの検出を行う、所謂セルサーチ処理が行われる。次に、セルサーチ処理をより適切なタイミングで行うための、セルサーチ制御について述べる。
【００３０】
（セルサーチ制御）
以下にセルサーチ制御の流れを、図４を用いながら説明する。図４は、セルサーチ制御の流れを述べたフローチャートである。なお以下の説明では、無線通信回線を確立した基地局が提供するセルを、単に在圏セルと記載する。
【００３１】
まず、図４を用いてセルサーチ制御の流れについて述べる。制御部３１がセルサーチ制御を開始する（ステップ１００）と、受信回路（ＲＸ）２３は、在圏セルの信号品質として、ＳＩＮＲの値を測定する（ステップ１０１）。なお、受信回路（ＲＸ）２３が測定する値はこれに限られるものではなく、例えばＥｓ／ＩｏやＳＩＲなどの値を測定するものであっても構わない、携帯電話機７０が確立した無線通信回線以外の無線信号、すなわち雑音信号を受信する場合には、ＳＩＮＲの値は低い値が得られる。即ち、携帯電話機７０が在圏セルの端へ移動し、異なるセルと重なりあう場所へ侵入すると、在圏セルのＲＳＳＩが低下する一方で異なる基地局の無線信号のＲＳＳＩが上昇するため、結果としてＳＩＮＲの値が低下することとなる。
【００３２】
次に、受信回路（ＲＸ）２３は、ＲＳＳＩの値を測定する（ステップ１０２）。受信回路（ＲＸ）２３が測定する値はこれに限られるものではなく、例えばＲＳＲＰなどの値を測定するものであっても構わない。一般的に、無線信号の電力強度はその伝播距離に応じて減衰する。従って、携帯電話機７０が基地局と近い距離で無線通信回線を確立している場合は、ＲＳＳＩの値は高い値が得られる。一方で、携帯電話機７０がセル境界のような基地局と遠い距離で無線通信回線を確立している場合は、ＲＳＳＩの値は低い値となる。
【００３３】
次に、制御部３１はステップ１０１で測定したＳＩＮＲの値が、所定の閾値Ｔｓの値を上回るか否かを判定する（ステップ１０３）。ＳＩＮＲの値が閾値Ｔｓの値を上回ると制御部３１が判断した場合（ステップ１０３のＹｅｓ）は、制御部３１は十分な信号品質の無線信号が得られるためセルサーチ不要と判断し、セルサーチ制御を終了する（ステップ１１６）。一方、ＳＩＮＲの値が閾値Ｔｓの値を下回ると制御部３１が判断した場合（ステップ１０３のＮｏ）は、制御部３１は続いてＲＳＳＩの値が所定の閾値Ｔｒの値を上回るか否かを判断する（ステップ１０４）。
【００３４】
制御部３１がステップ１０４でＹｅｓと判断するのは、ＳＩＮＲがＴｓを下回り、且つＲＳＳＩがＴｒを上回る場合である。この様な場合、マクロセルにフェムトセルが包含されており、携帯電話機７０がフェムトセル内にいるため、マクロセルとフェムトセル間の干渉によってＳＩＮＲが低下しているものと制御部３１が推定する。ＲＳＳＩの値がＴｒを上回ると判断した場合（ステップ１０４のＹｅｓ）は、制御部３１は記憶部３２に記憶されたフェムトセル基地局リストを読み出す。そして、制御部３１はフェムトセル基地局リストに記録された同期タイミング及び信号パターンを用いてセルサーチ処理を行う（ステップ１０５）。フェムトセル基地局リストに記憶された同期タイミング及び信号パターンを優先的に用いてセルサーチ処理を行うことで、全ての同期タイミングや周波数領域についてセルサーチ処理を行う計算負荷を省くことができる。
【００３５】
ステップ１０５にて制御部３１がセルサーチ処理を行うと、制御部３１はセルサーチ処理が完了し、基地局を検出したか否かを判断する（ステップ１０６）。セルサーチ処理が完了した場合には（ステップ１０６のＹｅｓ）、制御部３１はセルサーチ判定を終了する（ステップ１１６）。一方、セルサーチ処理が完了していない場合には（ステップ１０６のＮｏ）、制御部３１はマクロセルとマクロセル間の干渉によってＳＩＮＲが低下しているものと推定する。そこで、制御部３１はマクロセル基地局リストに記録された同期タイミング及び信号パターンを用いてセルサーチ処理を行う（ステップ１０７）。マクロセル基地局リストに記憶された同期タイミング及び信号パターンを優先的に用いてセルサーチ処理を行うことで、全ての同期タイミングや周波数領域についてセルサーチ処理を行う計算負荷を省くことができる。
【００３６】
ステップ１０７にて制御部３１がセルサーチ処理を行うと、制御部３１はセルサーチ処理が完了し、基地局を検出したか否かを判断する（ステップ１０８）。セルサーチ処理が完了した場合には（ステップ１０８のＹｅｓ）、制御部３１はセルサーチ判定を終了する（ステップ１１６）。一方、セルサーチ処理が完了していない場合には（ステップ１０８のＮｏ）、制御部３１は基地局リストに記録されていない基地局との干渉によってＳＩＮＲが低下しているものと推定する。そこで、制御部３１は全ての同期タイミング及び信号パターンについてセルサーチ処理を行う（ステップ１０８）。制御部３１はセルサーチ処理を完了し、セルサーチ判定を終了する（ステップ１１６）。
【００３７】
一方、制御部３１がステップ１０４でＮｏと判断するのは、ＳＩＮＲがＴｓを下回り、且つＲＳＳＩもＴｒを下回る場合である。この様な場合、携帯電話機７０がマクロセルに在圏しており、携帯電話機７０が在圏マクロセルの境界領域に侵入したためにＲＳＳＩがＴｒを下回ったものと制御部３１が推定する。そして、在圏マクロセルの境界において異なるセルに侵入したためにＳＩＮＲがＴｓを下回ったものと制御部３１が推定する。ＲＳＳＩの値がＴｒを下回ると判断した場合（ステップ１０４のＮｏ）は、制御部３１は記憶部３２に記憶されたマクロセル基地局リストを読み出す。そして、制御部３１はマクロセル基地局リストに記録された同期タイミング及び信号パターンを用いてセルサーチ処理を行う（ステップ１１０）。マクロセル基地局リストに記憶された同期タイミング及び信号パターンを優先的に用いてセルサーチ処理を行うことで、全ての同期タイミングや信号パターンについてセルサーチ処理を行う計算負荷を省くことができる。
【００３８】
ステップ１１０にて制御部３１がセルサーチ処理を行うと、制御部３１はセルサーチ処理が完了し、基地局を検出したか否かを判断する（ステップ１１１）。セルサーチ処理が完了した場合には（ステップ１１１のＹｅｓ）、制御部３１はセルサーチ判定を終了する（ステップ１１６）。一方、セルサーチ処理が完了していない場合には（ステップ１１１のＮｏ）、制御部３１はマクロセル基地局リストに記録されていないマクロセルと間の干渉によってＳＩＮＲが低下しているものと推定する。そこで、制御部３１は在圏セルとの同期タイミングを用いてセルサーチ処理を行う（ステップ１１２）。マクロセルを提供するマクロセル基地局間では、それぞれがＧＰＳ（Ｇｌｏｂａｌ  Ｐｏｓｉｔｉｏｎｉｎｇ  Ｓｙｓｔｅｍ）等を用いて同期タイミングの統一を行っている。そのため、在圏セルの同期タイミングを優先的に用いてセルサーチ処理を行うことで、全ての同期タイミングについてセルサーチ処理を行う計算負荷を省くことができる。
【００３９】
ステップ１１２にて制御部３１がセルサーチ処理を行うと、制御部３１はセルサーチ処理が完了し、基地局を検出したか否かを判断する（ステップ１１３）。セルサーチ処理が完了した場合には（ステップ１１３のＹｅｓ）、制御部３１はセルサーチ判定を終了する（ステップ１１６）。一方、セルサーチ処理が完了していない場合には（ステップ１１３のＮｏ）、制御部３１は在圏セルとフェムトセルとの干渉によってＳＩＮＲ及びＲＳＳＩが低下しているものと推定する。そこで、制御部３１はフェムトセル基地局リストに記録された同期タイミング及び信号パターンを用いてセルサーチ処理を行う（ステップ１１４）。フェムトセル基地局リストに記憶された同期タイミング及び信号パターンを優先的に用いてセルサーチ処理を行うことで、全ての同期タイミングや周波数領域についてセルサーチ処理を行う計算負荷を省くことができる。
【００４０】
ステップ１１４にて制御部３１がセルサーチ処理を行うと、制御部３１はセルサーチ処理が完了し、基地局を検出したか否かを判断する（ステップ１１５）。セルサーチ処理が完了した場合には（ステップ１１５のＹｅｓ）、制御部３１はセルサーチ判定を終了する（ステップ１１６）。一方、セルサーチ処理が完了していない場合には（ステップ１１５のＮｏ）、制御部３１は基地局リストに記録されていない基地局との干渉によってＳＩＮＲ及びＲＳＳＩが低下しているものと推定する。そこで、制御部３１は全ての同期タイミング及び信号パターンについてセルサーチ処理を行う（ステップ１１５）。制御部３１はセルサーチ処理を完了し、セルサーチ判定を終了する（ステップ１１６）。
【００４１】
（携帯電話機のセル間移動に伴うセルサーチ処理）
図２及び図３は、マクロセル８１を提供するマクロセル基地局７１、フェムトセル８２を提供するフェムトセル基地局７２、マクロセル８３を提供するマクロセル基地局７３、及びフェムトセル８４を提供するフェムトセル基地局７４から構成されるセルラネットワークと通信を行う携帯電話機７０が、セル間を移動する様子を示した図である。以下に、携帯電話機７０のセル間移動に伴って、セルサーチ判定及びセルサーチ処理が行われる様子を示す。
【００４２】
図２は、マクロセル８１に在圏する携帯電話機７０が、マクロセル８１に包含されるフェムトセル８２の境界エリアに侵入する様子を示した図である。携帯電話機７０の受信回路（ＲＸ）２３は定期的にＳＩＮＲ及びＲＳＳＩの値を測定し（ステップ１０１及びステップ１０２）、制御部３１は測定されたＳＩＮＲ及びＲＳＳＩの値と、閾値Ｔｓ及びＴｒとの比較を行う（ステップ１０３及び１０４）。マクロセル８１とフェムトセル８２との境界においては、マクロセル基地局７１とフェムトセル基地局７２とが送信する無線信号は非同期であるために、双方が送信する無線信号が干渉する。従って、携帯電話機７０がマクロセル８１とフェムトセル８２との境界に侵入すると、受信回路（ＲＸ）２３によって測定されるＳＩＮＲの値が低下することとなる（ステップ１０３のＮｏ）。一方で、マクロセル基地局７１とフェムトセル基地局７２が信号を送信する無線信号の送信周波数は同じであるため、受信回路（ＲＸ）２３によって測定されるＳＩＮＲの値は低下しない（ステップ１０４のＹｅｓ）。ＳＩＮＲがＴｓ以下となり、ＲＳＳＩがＴｒ以上となった場合には、制御部３１は携帯電話機７０がフェムトセルとの境界に侵入したことを推測し、セルサーチ処理を行う。フェムトセルを優先して検出するために制御部３１は、記憶部３２に記憶されたフェムトセル基地局リストの同期タイミング及び周波数帯域を用いてセルサーチ処理を行う（ステップ１０５）。フェムトセル基地局リストにフェムトセル基地局７２の情報が記録されている場合には、制御部３１はステップ１０５にてフェムトセル基地局７２を検出し（ステップ１０６のＹｅｓ）、セルサーチ判定を終了する（ステップ１１６）。一方で、携帯電話機７０がフェムトセル８２に侵入したことがないなどの理由でフェムトセル基地局リストにフェムトセル基地局７２の情報が記録されていない場合には、制御部３１は基地局リストから同期タイミングを取得することができない（ステップ１０６及びステップ１０８のＮｏ）。この場合には、制御部３１は全ての同期タイミング及び周波数帯域でセルサーチ処理を行い（ステップ１０９）、フェムトセル基地局７２を検出する。
【００４３】
次に、フェムトセル８２に在圏する携帯電話機７０が、フェムトセル８４との境界エリアに侵入する場合を考える。
【００４４】
フェムトセル８２とフェムトセル８４との境界においては、フェムトセル基地局７２とフェムトセル基地局７４とが送信する無線信号は非同期であるために、双方が送信する無線信号が干渉する。従って、携帯電話機７０がフェムトセル８２とフェムトセル８４との境界に侵入すると、受信回路（ＲＸ）２３によって測定されるＳＩＮＲの値が低下することとなる（ステップ１０３のＮｏ）。一方で、フェムトセル基地局７２とフェムトセル基地局７４が信号を送信する無線信号の送信周波数は同じであるため、受信回路（ＲＸ）２３によって測定されるＳＩＮＲの値は低下しない（ステップ１０４のＹｅｓ）。以下、ステップ１０４からステップ１１６に述べた同様の手順によって制御部３１はセルサーチ処理を行い、フェムトセル基地局７４を検出する。
【００４５】
次に、フェムトセル８２に在圏する携帯電話機７０が、マクロセル８１との境界エリアに侵入する場合を考える。
【００４６】
フェムトセル８２とマクロセル８１との境界においては、フェムトセル基地局７２とマクロセル基地局７１とが送信する無線信号は非同期であるために、双方が送信する無線信号が干渉する。従って、携帯電話機７０がフェムトセル８２とマクロセル８１との境界に侵入すると、受信回路（ＲＸ）２３によって測定されるＳＩＮＲの値が低下することとなる（ステップ１０３のＮｏ）。一方で、フェムトセル基地局７２とマクロセル基地局７１が信号を送信する無線信号の送信周波数は同じであるため、受信回路（ＲＸ）２３によって測定されるＳＩＮＲの値は低下しない（ステップ１０４のＹｅｓ）。制御部３１はステップ１０５にてフェムトセル基地局リストに記録された同期タイミング及び信号パターンを用いてセルサーチ処理を行う（ステップ１０５）が、マクロセル基地局８１はフェムトセル基地局リストには記録されていないため、セルサーチ処理が完了しないと制御部３１によって判断される（ステップ１０６のＮｏ）。マクロセル基地局８１がマクロセル基地局リストに記録されている場合には、制御部３１はステップ１０７にてセルサーチ処理を完了する。一方マクロセル基地局８１がマクロセル基地局リストに記録されていない場合には、ステップ１０７のセルサーチ処理によってはセルサーチ処理が完了しないと基地局３１が判断する（ステップ１０８のＮｏ）。この場合には、制御部３１は全ての同期タイミング及び周波数帯域でセルサーチ処理を行い（ステップ１０９）、マクロセル基地局８１を検出する。
【００４７】
図３は、マクロセル８１に在圏する携帯電話機７０が、マクロセル８１に隣接するマクロセル８３の境界エリアに侵入する様子を示した図である。携帯電話機７０の受信回路（ＲＸ）２３は定期的にＳＩＮＲ及びＲＳＳＩの値を測定し（ステップ１０１及びステップ１０２）、制御部３１は測定されたＳＩＮＲ及びＲＳＳＩの値と、閾値Ｔｓ及びＴｒとの比較を行う（ステップ１０３及び１０４）。マクロセル８１とマクロセル８３との境界においては、マクロセル基地局８１から送信される無線信号とマクロセル基地局８３から送信される無線信号とを同時に受信することとなるため、受信回路（ＲＸ）によって測定されるＳＩＮＲの値が低下することとなる（ステップ１０３のＮｏ）。更に、マクロセル８１とマクロセル８３との境界においては、携帯電話機７０がマクロセル基地局７１及びマクロセル基地局７３から距離の離れた場所に存在することとなる。基地局から送信される無線信号の電波強度は距離に従って減衰するために、受信回路（ＲＸ）２３によって測定されるＲＳＳＩの値が低下することとなる（ステップ１０４のＮｏ）。ＳＩＮＲがＴｓ以下となり、ＲＳＳＩもＴｒ以下となった場合には、制御部３１は携帯電話機７０がマクロセルとの境界に侵入したことを推測し、セルサーチ処理を行う。フマクロセルを優先して検出するために制御部３１は、記憶部３２に記憶されたマクロセル基地局リストの同期タイミング及び周波数帯域を用いてセルサーチ処理を行う（ステップ１１０）。マクロセル基地局リストにマクロセル基地局７３の情報が記録されている場合には、制御部３１はステップ１０５にてフェムトセル基地局７３を検出し（ステップ１１１のＹｅｓ）、セルサーチ判定を終了する（ステップ１１６）。一方で、携帯電話機７０がマクロセル８３に侵入したことがないなどの理由でマクロセル基地局リストにマクロセル基地局７３の情報が記録されていない場合には、制御部３１は基地局リストから同期タイミングを取得することができない（ステップ１１１のＮｏ）。この場合には、制御部３１はマクロセル基地局８１の同期タイミングを用いてセルサーチ処理を行う（ステップ１１２）。マクロセル基地局８３がマクロセル基地局８１とＧＰＳシステム等を用いて共通の同期タイミングによる無線信号の送信を行っている場合には、制御部３１はステップ１１２にてマクロセル基地局７３を検出し（ステップ１１３のＹｅｓ）、セルサーチ判定を終了する（ステップ１１６）。
【００４８】
次に、フェムトセル８４に在圏する携帯電話機７０が、マクロセル８３との境界エリアに侵入する場合を考える。
【００４９】
フェムトセル８４とマクロセル８３との境界においては、フェムトセル基地局７４とマクロセル基地局７３とが送信する無線信号は非同期であるために、双方が送信する無線信号が干渉する。従って、携帯電話機７０がフェムトセル８４とマクロセル８３との境界に侵入すると、受信回路（ＲＸ）２３によって測定されるＳＩＮＲの値が低下することとなる（ステップ１０３のＮｏ）。更に、フェムトセル８４とマクロセル８３との境界においては、携帯電話機７０がフェムトセル基地局７４及びマクロセル基地局７３から距離の離れた場所に存在することとなる。基地局から送信される無線信号の電波強度は距離に従って減衰するために、受信回路（ＲＸ）２３によって測定されるＲＳＳＩの値が低下することとなる（ステップ１０４のＮｏ）。以下、ステップ１０４からステップ１１６に述べた同様の手順によって制御部３１はセルサーチ処理を行い、フェムトセル基地局７４を検出する。なお、基地局から報知される送信電力情報などの報知情報に基づいて、在圏セルがフェムトセルであると制御部３１が認識している場合には、ステップ１１２によるセルサーチ処理を省略しても構わない。
【００５０】
（在圏セル種別の変更に伴う閾値設定処理）
図４を用いて述べたセルサーチ処理においては、ＳＩＮＲと閾値Ｔｓとを比較し、ＳＩＮＲが閾値Ｔｓを下回ることを契機にセルサーチを開始する例を述べた。この閾値Ｔｓを可変とし、在圏セルの変更に伴って閾値Ｔｓの値を再設定することで、より柔軟なセルサーチ処理を行うことが可能である。
【００５１】
以下に閾値設定処理の流れを、図５を用いながら説明する。図５は、閾値Ｔｓの設定処理の流れを述べたフローチャートである。
【００５２】
まず、制御部３１が閾値設定処理を開始する（ステップ２００）と、制御部３１は在圏セルがフェムトセルであるか否かを判断する（２０１）。在圏セルがフェムトセルであるか否かの判断は、例えば制御部３１がアンテナ２１を介して、在圏セルの基地局から送信される報知情報を介して受信する。そして、報知情報に含まれる基地局の送信電力情報を読み取り、これが一定の値以下であることを条件として在圏セルがフェムトセルであることを認識しても良い。あるいは、記憶部３２に格納された基地局リストのうち、フェムトセル基地局リストに在圏セルの基地局が記載されていることを制御部３１が認識しても良い。あるいは、記憶部３２に格納された基地局リストのうち、セルＩＤ情報やセル種別情報などの、他の基地局情報を用いて在圏セルの基地局がフェムトセルであることを制御部３１が認識しても良い。
【００５３】
制御部３１が、在圏セルの基地局がフェムトセルであると判断すると（ステップ２０１のＹｅｓ）、制御部３１は閾値ＴｓをＴｓ＝Ｔｓ１として設定し（ステップ２０２）、処理を終了する（ステップ２０３）。一方、制御部３１が、在圏セルの基地局がフェムトセル以外のセル、例えばマクロセルであると判断すると（ステップ２０１のＮｏ）、制御部３１は閾値ＴｓをＴｓ＝Ｔｓ２として設定し（ステップ２０３）、処理を終了する（ステップ２０３）。なお、２つの閾値はＴｓ１＜Ｔｓ２となるように設定される。
【００５４】
図５を用いて述べた処理により、制御部３１は在圏セルがフェムトセルであると判断した場合には閾値Ｔｓを小さな値に、一方在圏セルがマクロセルなどのフェムトセル以外のセルであると判断した場合には閾値Ｔｓを大きな値に設定する。従って、図４を用いて述べたセルサーチ制御を行う場合には、制御部３１は在圏セルがフェムトセルである場合にはＲＳＳＩが大きく落ち込んだ場合にのみセルサーチ処理を行い、一方在圏セルがマクロセルである場合にはＲＳＳＩがそれほど落ち込まない場合であってもセルサーチ処理を行うこととなる。
【００５５】
この様な処理によって、制御部３１は在圏セルがフェムトセルであった場合には、信号品質が大きく落ち込むまではフェムトセル内で確立した無線通信回線を継続して使用するため、フェムトセルを長い期間使用することができる。一方で、制御部３１は在圏セルがマクロセルであった場合には、信号品質の変化に迅速に対応してセルサーチを行い、フェムトセルを検出することができる。
【００５６】
上述した方法によれば、セルサーチ処理を行うか否かの判定は、ＳＩＮＲとＲＳＳＩの２つの値を用いることによって行われる。これにより、マクロセル基地局８１の無線信号の信号品質が良い場合であっても、制御部３１はフェムトセル８２の境界への侵入を検知し、セルサーチ処理を行うことができる。これにより、フェムトセル８２へ侵入した携帯電話機７０がフェムトセル基地局８２を検出し、必要に応じてハンドオーバ処理を行うことで、セルラシステムの無線通信回線資源を有効に使用することができる。
【００５７】
また、上述した方法によれば、セルサーチ処理は記憶部３２に格納された基地局リストの同期タイミング、及び在圏セルの同期タイミングを用いて行われる。従って、検出対象となる基地局が基地局リストに既に記録されている場合には、全ての同期タイミング及び周波数帯域を用いてセルサーチ処理を行う必要がない。これにより、制御部３１によるセルサーチ処理の負荷が低減され、携帯電話機７０の連続使用時間を向上することができる。また、制御部３１によるセルサーチ処理の処理時間が低減され、素早くセルサーチ処理を行うことができる。
【００５８】
また、上述した方法によれば、携帯電話機７０の受信回路（ＲＸ）２３が定期的にＳＩＮＲ及びＲＳＳＩの測定を行っており、この測定値が所定の状態になった場合にのみセルサーチ処理を行う。従来のセルサーチ処理においては、在圏セルの信号品質によらず、定期的にセルサーチ処理を行うことでマクロセルあるいはフェムトセルへの侵入を判別していた。しかし、定期的なセルサーチ処理は制御部３１による処理負荷が大きいために、消費電流の増加を招く虞があった。本発明によれば、受信回路（ＲＸ）２３による測定値に基づいてセルサーチ処理を行うか否かの判断を制御部３１が行う。これにより、無駄なセルサーチ処理が行われる事態を防ぎ、制御部３１によるセルサーチ処理の負荷を低減し、携帯電話機７０の連続使用時間を向上することができる。
【００５９】
また、上述した方法によれば、携帯電話機７０の制御部３１は在圏セルがフェムトセルである場合には閾値Ｔｓの値を小さな値に、一方在圏セルがマクロセルである場合には閾値Ｔｓの値を大きな値に設定する。これにより、制御部３１は在圏セルがフェムトセルである場合には信号品質が大きく落ち込んだ場合にのみセルサーチを行うため、フェムトセル基地局を使用する時間を長くすることができる。一方在圏セルがマクロセルである場合には信号品質の変化に迅速に対応してセルサーチを行い、フェムトセルを検出する率を上げることができる。
【００６０】
なお、ここに述べた実施の形態において、移動通信端末の例として携帯電話機を挙げて説明を行った。しかし、本発明の範囲はこれに限定されるものではなく、例えばＰＤＡ（Ｐｅｒｓｏｎａｌ  Ｄｉｇｉｔａｌ  Ａｓｓｉｓｔａｎｔ）や小型情報処理機器などにも適用できる。本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を排除しても良い。
【符号の説明】
【００６１】
２１  アンテナ
２３  受信回路（ＲＸ）
３１  制御部
３２  記憶部
７０  携帯電話機
７１  基地局
７２  基地局
７３  基地局
７４  基地局
８１  マクロセル
８２  フェムトセル
８３  マクロセル
８４  フェムトセル
【図１】
2011071807.tif 000003
【図２】
2011071807.tif 000004
【図３】
2011071807.tif 000005
【図４】
2011071807.tif 000006
【図５】
2011071807.tif 000007